(57)【特許請求の範囲】
【請求項１】
本体と、フランジを有し前記本体に着脱自在に収納した内釜と、前記本体の上面開口部を開閉自在に覆う蓋と、前記蓋と前記内釜の前記フランジとの間をシールする可撓性を備えた環状の蓋パッキンとを有する炊飯器において、
前記蓋パッキンは、
蓋側に取り付けられる基部と、
該基部から外周側に向けて延出し、外周側から下方内周側に折り返され、その折り返し部分の内周側に第１の空洞が形成される下揺動片と、
前記下揺動片よりも小さく形成され、前記基部から外周側に向けて延出した部分から分岐し、分岐位置から下方内周側に折り返され、その折り返し部分の内周側に常時内向きに開放された第２の空洞が形成される上揺動片とを備え、
蓋開時ではこれら上下揺動片の先端間に隙間が形成され、
蓋閉時では前記下揺動片の先端が前記上揺動片の先端に当接する構成としたことを特徴とする炊飯器。
【請求項２】
蓋開時の前記下揺動片のリップ状の高さ寸法をＡ、蓋閉時の前記下揺動片のリップ状の高さ寸法をＢ、蓋開時の前記上下揺動片の先端間の隙間寸法をＣとしたとき、
（Ａ−Ｂ）≧Ｃとなるように設定したことを特徴とする請求項１記載の炊飯器。
【請求項３】
蓋閉時に前記上揺動片と前記下揺動片が当接する当接部の周方向の複数箇所に、密着防止用凸部を設けたことを特徴とする請求項１又は請求項２記載の炊飯器。
【発明の詳細な説明】
【技術分野】
【０００１】
本発明は、本体内に収納される内釜と蓋との間をシールする環状の蓋パッキンを有する炊飯器に関する。
【背景技術】
【０００２】
一般に、炊飯器は、本体と、フランジを有し本体に着脱自在に収納した内釜と、本体の上面開口部を開閉自在に覆う蓋と、蓋と内釜のフランジとの間をシールする環状の蓋パッキンを有する。蓋パッキンとしては、蓋側に取り付けられる基部と、基部から外周側に向け延出し、外周側から下方内周側に折り返されて、折り返し部の先端側が上向きに延設され、その先端が相対する蓋下面に当接する構成としたものが提案されている（例えば、特許文献１参照）。
【先行技術文献】
【特許文献】
【０００３】
【特許文献１】特開２００１−０８７１２３号公報（図２）
【発明の概要】
【発明が解決しようとする課題】
【０００４】
しかしながら、蓋パッキンの折り返し部の先端側が上向きに延設され、その先端が相対する蓋下面に当接する構成としたものにあっては、蓋パッキンの内釜のフランジとの接触部の態様が線接触となり、内圧が上昇すると、延設片は内釜フランジ部から離れる方向に力が働き、接触部の尖っていた部分が押し上げられてフランジから離れ、隙間が発生し、シール性が悪化するという問題があった。
【０００５】
また、蓋パッキンの折り返し部の先端のラップ部（蓋下面に当てる部分）を大きくすると、蓋を閉じるときに蓋パッキンをつぶす重さが必要となり、蓋を閉じる力が重たくなるという難点があった。
【０００６】
本発明は、前記のような課題を解決するためになされたもので、蓋パッキンによる内釜フランジ部のシール性を向上させることができるとともに、蓋パッキンの結露量を減少させることができ、また蓋を閉める力が重くならない炊飯器を提供することを目的とする。
【課題を解決するための手段】
【０００７】
本発明に係る炊飯器は、本体と、フランジを有し本体に着脱自在に収納した内釜と、本体の上面開口部を開閉自在に覆う蓋と、蓋と内釜のフランジとの間をシールする可撓性を備えた環状の蓋パッキンとを有する炊飯器において、蓋パッキンは、蓋側に取り付けられる基部と、基部から外周側に向けて延出し、外周側から下方内周側に折り返され、その折り返し部分の内周側に第１の空洞が形成される下揺動片と、下揺動片よりも小さく形成され、基部から外周側に向けて延出した部分から分岐し、分岐位置から下方内周側に折り返され、その折り返し部分の内周側に常時内向きに開放された第２の空洞が形成される上揺動片とを備え、蓋開時ではこれら上下揺動片の先端間に隙間が形成され、蓋閉時では下揺動片の先端が上揺動片の先端に当接する構成としたものである。
【発明の効果】
【０００８】
本発明の炊飯器においては、蓋パッキンの上揺動片が内向きに常時開放するリップ状に形成されているので、内釜の内圧（蒸気圧）が上昇すると、上揺動片がその圧力を受けて下揺動片を内釜のフランジに圧接する方向に作用する。このため、蒸気圧力を利用して蓋パッキンによる蓋と内釜のフランジとの間のシール性を向上させることができる。
また、蓋パッキンの上揺動片は下揺動片よりも小さく形成されて下揺動片の内周側に配置されているので、蓋パッキンの蒸気にさらされている面積を小さくすることができる。このため、蓋パッキンへの結露量を減少させることができる。
また、蓋パッキンの上揺動片及び下揺動片からなる二段揺動片構造を採用し、蓋を閉じたときに、下揺動片が内釜のフランジに押し付けられて撓み、下揺動片の先端が上揺動片の先端と当接する構成としたので、蓋を閉める力が軽くてすむ。さらに、制作誤差を吸収させることができて、歩留りが向上する。
【図面の簡単な説明】
【０００９】
【図１】本発明の実施形態１に係る炊飯器の外観を示す斜視図である。
【図２】本発明の実施形態１に係る炊飯器の側方より見た縦断面図である。
【図３】本発明の実施形態１に係る炊飯器を蓋を開放した状態で示す斜視図である。
【図４】本発明の実施形態１に係る炊飯器の蓋パッキンが取り付けられた内蓋組立体を示す斜視図である。
【図５】本発明の実施形態１に係る炊飯器の内釜無し時（蓋開時と同様のパッキンフリー状態）の要部断面図である。
【図６】本発明の実施形態１に係る炊飯器の内釜有り時（蓋閉時と同様のパッキン圧縮状態）の要部断面図である。
【図７】本発明の実施形態１に係る炊飯器の蓋パッキンの諸元の説明図である。
【図８】本発明の実施形態１に係る炊飯器の蓋パッキンの諸元の説明図である。
【図９】本発明の実施形態２に係る炊飯器の蓋パッキンが取り付けられた内蓋組立体を示す斜視図である。
【図１０】本発明の実施形態２に係る炊飯器の内釜無し時（蓋開時と同様のパッキンフリー状態）の要部断面図である。
【図１１】本発明の実施形態２に係る炊飯器の内釜有り時（蓋閉時と同様のパッキン圧縮状態）の要部断面図である。
【発明を実施するための形態】
【００１０】
実施形態１．
図１は本発明の実施形態１に係る炊飯器の外観を示す斜視図である。図２は本発明の実施形態１に係る炊飯器の側方より見た縦断面図である。図３は本発明の実施形態１に係る炊飯器を蓋を開放した状態で示す斜視図である。
本発明の実施形態１の炊飯器は、図１乃至図３のようにフランジ２ａを有する内釜２が着脱自在に収容される本体１と、調理中に発生する蒸気を本体外に放散させるための蒸気口３を有し本体１の後部にヒンジ結合されて内釜２の上部開口を開閉自在に閉塞する蓋４と、内釜２と蒸気口３との間に介在して調理中に内釜２内の被加熱物から発生する蒸気を蒸気口３に導く蒸気通路５とを有している。本体１の正面には、蓋４の係合解除ボタン６が設けられている。本体１内の内釜２の下方には、内釜２を誘導加熱する加熱コイル７が備えられている。また、本体１内の底部中央には、上方に付勢されて内釜２の底面に接触して中央部付近の発熱温度を検出する温度センサー８が取り付けられている。蓋４は、内面側が内蓋組立体１１により構成されている。内蓋組立体１１には、仕切板１４に取り付けられた蓋ヒーター１２により加熱される内蓋１３が設けられている。蓋ヒーター１２の加熱は、ご飯の炊飯・保温時に、内蓋１３に露が結露するのをさけるために行うものである。内蓋組立体１１の内蓋１３の外周には、蓋４と内釜２のフランジ２ａとの間をシールする可撓性を備えた環状の蓋パッキン２１が取り付けられている。
【００１１】
図４は本発明の実施形態１に係る炊飯器の蓋パッキンが取り付けられた内蓋組立体を示す斜視図である。図５は本発明の実施形態１に係る炊飯器の内釜無し時（蓋開時と同様のパッキンフリー状態）の要部断面図である。図６は本発明の実施形態１に係る炊飯器の内釜有り時（蓋閉時と同様のパッキン圧縮状態）の要部断面図である。
内蓋組立体１１に取り付けられた蓋パッキン２１は、図４乃至図６のように蓋側に取り付けられる基部２２と、基部２２から蓋４の外周側に向け延出し、外周側から下方内周側にリップ状に折り返され、その折り返し部分の内周側に第１の空洞すなわち空洞２４が形成される下揺動片２６と、下揺動片２６よりも小さく形成され、基部２２から蓋４の外周側に向けて延出した部分から分岐し、分岐位置から下方内周側にリップ状に折り返され、その折り返し部分の内周側に常時内向きに開放された第２の空洞すなわち空洞２３が形成される上揺動片２５とを備えている。すなわち、上揺動片２５は、下揺動片２６の内周側に配置されている。また上揺動片２５と下揺動片２６の先端間には隙間ｇが形成されており、蓋閉時に、下揺動片２６が内釜２のフランジ２ａに押し付けられて撓み、下揺動片２６の先端が上揺動片２５の先端と当接する（図６）ようになっている。なお、図６では下揺動片２６の先端が上揺動片２５の先端より内側と当接しているが、これは上揺動片２５そのものも撓むため、下揺動片２６がスライドしたからである。また、内釜２として、肉厚が厚めのものを例に挙げているためであり、内釜２として、それよりも肉厚が薄めのものを用いた場合には、図６の状態よりも先端側で下揺動片２６と上揺動片２５が当接する。このように蓋パッキン２１に上揺動片２５及び下揺動片２６からなる二段揺動片構造を採用することで、蓋パッキン２１に汎用性を持たせることができる。
【００１２】
図７及び図８はいずれも本発明の実施形態１に係る炊飯器の蓋パッキンの諸元の説明図である。すなわち、図７のようにフリー状態にあるときの下揺動片２６のリップ状の高さ寸法をＡ、上揺動片２５と下揺動片２６の先端間の隙間ｇの寸法をＣ、図８のように圧縮状態にあるときの下揺動片２６のリップ状の高さ寸法をＢとしたとき、蓋閉時の下揺動片２６の圧縮ストローク（Ａ−Ｂ）が（Ａ−Ｂ）≧Ｃとなるように設定されている。
【００１３】
以上のように、本発明の実施形態１に係る炊飯器は、上揺動片２５が内向きに常時開放するリップ状に形成されているので、内釜２の内圧（蒸気圧）が上昇すると、上揺動片２５がその圧力を受けて下揺動片２６を内釜２のフランジ２ａに圧接する方向に作用する。このため、蒸気圧力を利用して蓋パッキン２１による蓋４と内釜２のフランジ２ａとの間のシール性を向上させることができる。
【００１４】
また、本発明の実施形態１に係る炊飯器は、上揺動片２５が下揺動片２６よりも小さく形成されて下揺動片２６の内周側に配置されているので、蓋パッキン２１の蒸気にさらされている面積を小さくすることができる。このため、蓋パッキン２１への結露量を減少させることができる。
【００１５】
また、本発明の実施形態１に係る炊飯器は、上揺動片２５及び下揺動片２６からなる二段揺動片構造を採用し、蓋４を閉じたときに、下揺動片２６が内釜２のフランジ２ａに押し付けられて撓み、下揺動片２６の先端が上揺動片２５の先端と当接する構成としたので、従来の蓋下面（固定部）への蓋パッキンの先端の突き当て方式のように、蓋パッキンをつぶす必要が無くなり、蓋４を閉める力が軽くてすむ。さらに、制作誤差を吸収させることができて、歩留りが向上する。
【００１６】
また、本発明の実施形態１に係る炊飯器は、上揺動片２５と下揺動片２６の内側にそれぞれ空洞２３，２４を設け、蓋開時に上揺動片２５と下揺動片２６の間に隙間ｇが形成されるようにしているので、蓋４を開けたときに上揺動片２５から露が溢れて垂れてきた時もこの露を下揺動片２６で受けることができ、本体への露ダレを防止することができる。
【００１７】
実施形態２．
図９は本発明の実施形態２に係る炊飯器の蓋パッキンが取り付けられた内蓋組立体を示す斜視図である。図１０は本発明の実施形態２に係る炊飯器の内釜無し時（蓋開時と同様のパッキンフリー状態）の要部断面図である。図１１は本発明の実施形態２に係る炊飯器の内釜有り時（蓋閉時と同様のパッキン圧縮状態）の要部断面図である。各図中、前述の実施形態１のものに相当する部分には同一符号を付してある。なお、説明にあたっては前述の図１乃至図３を参照するものとする。
本発明の実施形態２の炊飯器は、図９乃至図１１のように蓋４を閉じたときに、蓋パッキン２１Ａの上揺動片２５と下揺動片２６が当接する当接部の周方向の複数箇所（ここでは上揺動片２５の周方向の複数箇所）に、密着防止用凸部２７を設けたものである。なお、密着防止用凸部２７は、下揺動片２６側に設けてもよいものである。それ以外の構成は、前述の実施形態１のものと同様であり、実施形態１の持つ機能と同等の機能を有しているものである。
【００１８】
本発明の実施形態２に係る炊飯器においては、蓋パッキン２１Ａそのものの有する粘着性により、上揺動片２５と下揺動片２６が密着するのを、密着防止用凸部２７によって防ぐことができる。このため、蓋４を開けたときに上揺動片２５から露が溢れて垂れてきた時もこの露を確実に下揺動片２６で受けることができ、本体への露ダレを防止することができる。
【符号の説明】
【００１９】
１  本体、２  内釜、２ａ  フランジ、３  蒸気口、４  蓋、５  蒸気通路、６  係合解除ボタン、７  加熱コイル、８  温度センサー、１１  内蓋組立体、１２  蓋ヒーター、１３  内蓋、１４  仕切板、２１，２１Ａ  蓋パッキン、２２  基部、２３，２４  空洞、２５  上揺動片、２６  下揺動片、ｇ  隙間、２７  密着防止用凸部。
【図１】
0005656767.tif 000002
【図２】
0005656767.tif 000003
【図３】
0005656767.tif 000004
【図４】
0005656767.tif 000005
【図５】
0005656767.tif 000006
【図６】
0005656767.tif 000007
【図７】
0005656767.tif 000008
【図８】
0005656767.tif 000009
【図９】
0005656767.tif 000010
【図１０】
0005656767.tif 000011
【図１１】
0005656767.tif 000012